(57)【要約】【課題】処置液の病変部の周辺への流出を抑制することができる探触子の針誘導路内に挿入して使用されるバルーン付き穿刺針を提供する。【解決手段】本発明の探触子の針誘導路内挿入用バルーン付き穿刺針１は、探触子１０に装着された針挿入ガイド１１内に形成された針誘導路１２に挿入される。穿刺針１は、穿刺用中空針２と、穿刺用中空針２内に収納された内管３と、中空針２と内管３間により形成されるバルーン用ルーメン４と、バルーン用ルーメン４を閉塞する閉塞部４ａと、中空針の閉塞部４ａより基端側に形成された側孔５と、側孔５を被包するとともにバルーン用ルーメン４と連通するバルーン６を備える。穿刺針１は、探触子１０の針誘導路１２内への挿入時に筒状バルーン６より所定長さ基端側から刃面２ａまでを針誘導路１２の先端より突出可能なものとなっている。【選択図】    図２
2004237068.tif 000002
【特許請求の範囲】
【請求項１】
探触子に装着された針挿入ガイド内に形成された針誘導路もしくは探触子に設けられた針誘導路内に移動可能に挿入されるバルーン付き穿刺針であって、該穿刺針は、先端に刃面を有する穿刺用中空針と、該穿刺用中空針内に収納され先端が前記中空針の先端部に位置し内部にルーメンを有する内管と、前記中空針と前記内管間により形成されるバルーン用ルーメンと、前記中空針の先端部においてバルーン用ルーメンを閉塞する閉塞部と、前記中空針の先端部の外面であって前記閉塞部より基端側に形成された側孔と、該側孔を被包するとともに内部が前記バルーン用ルーメンと連通するように該中空針の先端部の外面に取り付けられた膨張可能な筒状バルーンと、前記バルーン用ルーメンと連通するバルーン用ポートと、前記内管ルーメンと連通する内管用ポートとを備え、かつ、該穿刺針は、前記探触子の前記針誘導路内への挿入時に前記筒状バルーンより所定長さ基端側から前記刃面までを前記針誘導路の先端より突出可能であることを特徴とする探触子の針誘導路内挿入用バルーン付き穿刺針。
【請求項２】
前記穿刺針は、前記中空針の外面を移動可能に設けられ、前記探触子もしくは前記針挿入ガイドに当接可能なストッパー部材を備えている請求項１に記載の探触子の針誘導路内挿入用バルーン付き穿刺針。
【請求項３】
前記穿刺針は、卵巣嚢腫治療用の穿刺針である請求項１または２に記載の探触子の針誘導路内挿入用バルーン付き穿刺針。
【請求項４】
前記中空針は、該中空針の先端部の外面であって前記閉塞部より基端側に形成された第１の側孔と第２の側孔を備え、前記バルーンは、前記第１の側孔を被包する第１のバルーン部と前記第２の側孔を被包する第２のバルーン部に区分されているものである請求項１ないし３のいずれかに記載の探触子の針誘導路内挿入用バルーン付き穿刺針。
【請求項５】
前記中空針は、該中空針の先端部の外面であって前記閉塞部より基端側に形成された第１の側孔と第２の側孔を備え、前記バルーンは、前記第１の側孔を被包する第１のバルーンと、前記第２の側孔を被包する第２のバルーンとを備えるものである請求項１ないし３のいずれかに記載の探触子の針誘導路内挿入用バルーン付き穿刺針。
【請求項６】
探触子に装着された針挿入ガイド内に形成された針誘導路もしくは探触子に設けられた針誘導路内に移動可能に挿入されるバルーン付き穿刺針組立体であって、
該穿刺針組立体は、第１のチューブと、該第１のチューブ内に配置された第２のチューブと、前記第１のチューブと前記第２のチューブ間に形成されたバルーン用ルーメンと、前記第１のチューブの先端部においてバルーン用ルーメンを閉塞する閉塞部と、前記第１のチューブの先端部の外面であって前記閉塞部より基端側に形成された側孔と、該側孔を被包するとともに内部が前記バルーン用ルーメンと連通するように該第１のチューブの先端部の外面に取り付けられた膨張可能な筒状バルーンと、前記バルーン用ルーメンと連通するバルーン用ポートとを備えるバルーン付外管と、
前記外管内に移動可能に挿入され、かつ前記外管の先端より突出する刃面を有する穿刺用内針とを備え、
さらに、該穿刺針組立体は、前記探触子の前記針誘導路内への挿入時に、前記筒状バルーンより所定長さ基端側から前記刃面までを前記針誘導路の先端より突出可能であることを特徴とする探触子の針誘導路内挿入用バルーン付き穿刺針組立体。
【請求項７】
前記穿刺針組立体は、前記外管の外面を移動可能に設けられ、前記探触子もしくは前記針挿入ガイドに当接可能なストッパー部材を備えている請求項６に記載の探触子の針誘導路内挿入用バルーン付き穿刺針組立体。
【請求項８】
前記穿刺針組立体は、卵巣嚢腫治療用の穿刺針組立体である請求項６または７に記載の探触子の針誘導路内挿入用バルーン付き穿刺針組立体。
【請求項９】
前記内針は、中空針である請求項６ないし８のいずれかに記載の探触子の針誘導路内挿入用バルーン付き穿刺針組立体。
【請求項１０】
前記内針は、前記外管より抜去可能である請求項６ないし９のいずれかに記載の探触子の針誘導路内挿入用バルーン付き穿刺針組立体。
【請求項１１】
前記内針は、該内針を後方に摺動させることにより、前記刃面を前記外管内に収納可能である請求項６ないし９のいずれかに記載の探触子の針誘導路内挿入用バルーン付き穿刺針組立体。
【請求項１２】
前記外管は、該外管の先端部の外面に形成された第１の側孔と第２の側孔を備え、前記バルーンは、前記第１の側孔を被包する第１のバルーン部と前記第２の側孔を被包する第２のバルーン部に区分されているものである請求項６ないし１１のいずれかに記載の探触子の針誘導路内挿入用バルーン付き穿刺針。
【請求項１３】
前記外管は、該外管の先端部の外面に形成された第１の側孔と第２の側孔を備え、前記バルーンは、前記第１の側孔を被包する第１のバルーンと、前記第２の側孔を被包する第２のバルーンとを備えるものである請求項６ないし１１のいずれかに記載の探触子の針誘導路内挿入用バルーン付き穿刺針。
【発明の詳細な説明】
【０００１】
【発明の属する技術分野】
本発明は、探触子の針誘導路内に挿入して使用されるバルーン付き穿刺針および穿刺針組立体に関する。
【０００２】
【従来の技術】
従来より、超音波診断装置を使用し、生体の卵巣を撮像し、その映像を見ながら卵子を採取することが行われている。このような場合、超音波診断装置に接続される超音波プローブ（探触子）に、針ガイドを装着したものを生体内に挿入する。そして、針ガイド内に採卵針を挿入して、卵子を採取する。
また、卵巣嚢腫の施術においても、上記の探触子を生体内に挿入した後、針ガイド内に、穿刺針を挿通し、卵巣嚢腫部位に穿刺針を穿刺し、エタノール等の処置液を注入し病変部位を変性させた後、吸引するという方法が用いられている。
【０００３】
【発明が解決しようとする課題】
しかし、従来の穿刺針を用いた治療方法では、エタノール等の処置液の病変部位への注入時に、処置液が病変部付近に流れ、患者に苦痛を与えることがあった。
本件出願人は、現時点において、上記の問題点を解消するものを開示する文献を知らない。
【０００４】
そこで、本発明は、処置液の病変部の周辺への流出を抑制することができる探触子の針誘導路内に挿入して使用されるバルーン付き穿刺針を提供するものである。
【０００５】
【課題を解決するための手段】
本発明は、探触子に装着された針挿入ガイド内に形成された針誘導路もしくは探触子に設けられた針誘導路内に移動可能に挿入されるバルーン付き穿刺針であって、該穿刺針は、先端に刃面を有する穿刺用中空針と、該穿刺用中空針内に収納され先端が前記中空針の先端部に位置し内部にルーメンを有する内管と、前記中空針と前記内管間により形成されるバルーン用ルーメンと、前記中空針の先端部においてバルーン用ルーメンを閉塞する閉塞部と、前記中空針の先端部の外面であって前記閉塞部より基端側に形成された側孔と、該側孔を被包するとともに内部が前記バルーン用ルーメンと連通するように該中空針の先端部の外面に取り付けられた膨張可能な筒状バルーンと、前記バルーン用ルーメンと連通するバルーン用ポートと、前記内管ルーメンと連通する内管用ポートとを備え、かつ、該穿刺針は、前記探触子の前記針誘導路内への挿入時に前記筒状バルーンより所定長さ基端側から前記刃面までを前記針誘導路の先端より突出可能であることを特徴とする探触子の針誘導路内挿入用バルーン付き穿刺針である。
前記穿刺針は、前記中空針の外面を移動可能に設けられ、前記探触子もしくは前記針挿入ガイドに当接可能なストッパー部材を備えている上記の探触子の針誘導路内挿入用バルーン付き穿刺針。
前記穿刺針は、卵巣嚢腫治療用の穿刺針である上記の探触子の針誘導路内挿入用バルーン付き穿刺針。
前記中空針は、該中空針の先端部の外面であって前記閉塞部より基端側に形成された第１の側孔と第２の側孔を備え、前記バルーンは、前記第１の側孔を被包する第１のバルーン部と前記第２の側孔を被包する第２のバルーン部に区分されているものである上記のいずれかの探触子の針誘導路内挿入用バルーン付き穿刺針。
前記中空針は、該中空針の先端部の外面であって前記閉塞部より基端側に形成された第１の側孔と第２の側孔を備え、前記バルーンは、前記第１の側孔を被包する第１のバルーンと、前記第２の側孔を被包する第２のバルーンとを備えるものである上記のいずれかの探触子の針誘導路内挿入用バルーン付き穿刺針。
【０００６】
また、本発明は、探触子に装着された針挿入ガイド内に形成された針誘導路もしくは探触子に設けられた針誘導路内に移動可能に挿入されるバルーン付き穿刺針組立体であって、該穿刺針組立体は、第１のチューブと、該第１のチューブ内に配置された第２のチューブと、前記第１のチューブと前記第２のチューブ間に形成されたバルーン用ルーメンと、前記第１のチューブの先端部においてバルーン用ルーメンを閉塞する閉塞部と、前記第１のチューブの先端部の外面であって前記閉塞部より基端側に形成された側孔と、該側孔を被包するとともに内部が前記バルーン用ルーメンと連通するように該第１のチューブの先端部の外面に取り付けられた膨張可能な筒状バルーンと、前記バルーン用ルーメンと連通するバルーン用ポートとを備えるバルーン付外管と、前記外管内に移動可能に挿入され、かつ前記外管の先端より突出する刃面を有する穿刺用内針とを備え、さらに、該穿刺針組立体は、前記探触子の前記針誘導路内への挿入時に、前記筒状バルーンより所定長さ基端側から前記刃面までを前記針誘導路の先端より突出可能であることを特徴とする探触子の針誘導路内挿入用バルーン付き穿刺針組立体である。
【０００７】
前記穿刺針組立体は、前記外管の外面を移動可能に設けられ、前記探触子もしくは前記針挿入ガイドに当接可能なストッパー部材を備えている上記の探触子の針誘導路内挿入用バルーン付き穿刺針組立体。
前記穿刺針組立体は、卵巣嚢腫治療用の穿刺針組立体である上記の探触子の針誘導路内挿入用バルーン付き穿刺針組立体。
前記内針は、中空針である上記のいずれかの探触子の針誘導路内挿入用バルーン付き穿刺針組立体。
前記内針は、前記外管より抜去可能である上記のいずれかの探触子の針誘導路内挿入用バルーン付き穿刺針組立体。
前記内針は、該内針を後方に移動させることにより、前記刃面を前記外管内に収納可能である上記のいずれかの探触子の針誘導路内挿入用バルーン付き穿刺針組立体。
前記外管は、該外管の先端部の外面に形成された第１の側孔と第２の側孔を備え、前記バルーンは、前記第１の側孔を被包する第１のバルーン部と前記第２の側孔を被包する第２のバルーン部に区分されているものである上記のいずれかの探触子の針誘導路内挿入用バルーン付き穿刺針。
前記外管は、該外管の先端部の外面に形成された第１の側孔と第２の側孔を備え、前記バルーンは、前記第１の側孔を被包する第１のバルーンと、前記第２の側孔を被包する第２のバルーンとを備えるものである上記のいずれかの探触子の針誘導路内挿入用バルーン付き穿刺針。
【０００８】
【発明の実施の形態】
本発明の探触子の針誘導路内挿入用バルーン付き穿刺針を図面に示す実施例を用いて説明する。
図１は、採卵針挿入ガイドを装着した探触子（超音波診断装置用プローブ）に本発明の探触子の針誘導路内挿入用バルーン付き穿刺針を挿入した状態の外観図である。図２は、本発明の実施例の探触子の針誘導路内挿入用バルーン付き穿刺針の部分省略外観図である。図３は、図２に示した探触子の針誘導路内挿入用バルーン付き穿刺針の先端部の拡大断面図である。図４は、図２に示した探触子の針誘導路内挿入用バルーン付き穿刺針の基端部の拡大断面図である。図５および図６は、本発明の他の実施例の探触子の針誘導路内挿入用バルーン付き穿刺針のバルーン部分を説明するための説明図である。
【０００９】
本発明の探触子の針誘導路内挿入用バルーン付き穿刺針１は、探触子１０に装着された針挿入ガイド１１内に形成された針誘導路１２もしくは探触子１０に設けられた針誘導路１２内に移動可能に挿入されるバルーン付き穿刺針である。
穿刺針１は、先端に刃面２ａを有する穿刺用中空針２と、穿刺用中空針２内に収納され先端が中空針２の先端部に位置し内部にルーメン３ａを有する内管３と、中空針２と内管３間により形成されるバルーン用ルーメン４と、中空針２の先端部においてバルーン用ルーメン４を閉塞する閉塞部４ａと、中空針２の先端部の外面であって閉塞部４ａより基端側に形成された側孔５と、側孔５を被包するとともに内部がバルーン用ルーメン４と連通するように中空針２の先端部の外面に取り付けられた膨張可能な筒状バルーン６と、バルーン用ルーメン４と連通するバルーン用ポート７と、内管ルーメン３ａと連通する内管用ポート８とを備える。そして、穿刺針１は、探触子１０の針誘導路１２内への挿入時に筒状バルーン６より所定長さ基端側から刃面２ａまでを針誘導路１２の先端より突出可能なものとなっている。
【００１０】
この実施例の穿刺針１は、中空針２、内管３とバルーン用ポート７と、内管ルーメン３ａと連通する内管用ポート８とを備えるハブ２１とを備える。
中空針２は、先端に患部への穿刺用の刃面２ａを有する中空体である。中空針としては、金属針が用いられる。金属としては、ステンレス鋼が好適である。また、中空針の外径としては、０．５〜５ｍｍ程度が好適である。長さは、１２０〜４５０ｍｍ程度が好適である。
【００１１】
内管３は、中空針２内に挿入されるとともに、先端が中空針の刃面より露出しないように収納されている。内管としては、中空針の内径より外径が小さいものが用いられる。両者間の径の差異は、０．２〜３ｍｍ程度であることが好ましい。内管としては、金属管、樹脂管が使用できる。金属管としては、ステンレス管が好適である。樹脂管としては、フッ素樹脂系の薄肉のものが好適である。具体的には、ＰＴＦＥ、ＥＴＦＥなどが好適である。
【００１２】
そして、中空針２と内管３間により形成されるバルーン用ルーメン４が形成されている。さらに、中空針２の先端部においてバルーン用ルーメン４は閉塞部４ａにより閉塞されている。この実施例では、中空針の先端部外面にシール用の側孔２ｂが穿たれており、このシール用側孔よりシール剤を注入することにより閉塞部４ａが形成されている。シール剤としては、作業時には液状でありその後硬化するものであり、かつ使用する中空針および内管との接着性を有するものが用いられる。シール剤としては、エポキシ樹脂系接着剤、シリコーン樹脂系接着剤などが使用できる。
【００１３】
また、中空針２には、中空針２の先端部の外面であって閉塞部４ａより基端側に側孔５が穿たれている。この側孔５は、バルーン膨張用のためのものである。そして、この側孔５を被包するとともに内部がバルーン用ルーメン４と連通するように中空針２の先端部の外面に膨張可能な筒状バルーン６が固定されている。具体的には、バルーン６の軸方向の中央付近に側孔５が位置するように配置されている。さらに、このバルーン６は、上述したシール用側孔２ｂを被覆していることが好ましい。バルーン６は、先端部および基端部が中空針に固定されるとともに、先端部と基端部間は固定されていない。このため側孔５より流入する液体により膨張する。バルーン６の先端部および基端部の中空針２への固定は、接着剤により行うことができる。接着剤としては、バルーン形成材料および中空針形成材料との接着性を有するものが用いられる。具体的には、上述したエポキシ樹脂系接着剤、シリコーン樹脂系接着剤などが使用できる。また、バルーン６の先端面には、図３に示すように接着剤により環状の傾斜面からなる段差解消部３１を設けることが望ましい。また、バルーン６の後端面には、図３に示すように接着剤により環状の傾斜面からなる段差解消部３２を設けることが望ましい。
【００１４】
また、バルーン６の固定方法としては、図５に示すように、バルーン６の両端部を糸３３で巻き付けることにより固定したものであってもよい。さらに、この糸３３と接着剤とを併用してもよい。接着剤を併用する場合には、上述したように段差解消部３１を設けることがよい。
【００１５】
また、バルーンの固定方法としては、図６に示すように、バルーン６の先端部および基端部をより所定距離中央側にて糸３３を巻き付けることにより固定し、さらに、先端部および基端部を折り返して、糸巻付部をバルーンにより被包したものであってもよい。この場合、糸巻付部となる部分より端部側のバルーン部分は、膨張する部分よりも肉薄なものとすることが好ましい。さらに、この折り返し部分に接着剤を塗布してもよい。また、この実施例において、バルーンを併用してもよい。また、この実施例においても、バルーン６の先端面には、環状の傾斜面からなる段差解消部３１を設けることが望ましい。また、バルーン６の後端面には、環状の傾斜面からなる段差解消部３２を設けることが望ましい。
【００１６】
バルーンの形成材料としては、弾性材料が使用される。特に、ゴムが好適であり、シリコーンゴム、ラテックスゴムなどが好ましい。バルーンの大きさとしては、膨張時の外径が８〜３０ｍｍ程度であることが好ましい。
【００１７】
穿刺針１の基端部には、ハブ２１が固定されている。ハブ２１は、バルーン用ルーメン４と連通するバルーン用ポート７と、内管ルーメン３ａと連通する内管用ポート８を備えている。そして、バルーン用ポート７は、バルーン用ルーメン内に流体を注入するための注入器具（例えば、シリンジ）が取付可能なものとなっている。さらに、バルーン用ポート７もしくはポート７と接続されるチューブ７ｂには、流路閉塞部材７ａが設けられている。この実施例では、流路閉塞部材７ａとして、ポート７にその開閉を行う活栓が設けられている。なお、流路閉塞部材としては、注入器具の装着時に開放状態となり、非装着時に閉塞状態となる逆止弁であってもよい。
【００１８】
ハブ２１は、具体的には、中空針の基端に固定された中空針ハブ２２、内管の基端に固定された内管ハブ２３と中空針ハブ２２間に配置された分岐部材２４を備える。分岐部材２４には、端部にバルーン用ポート７を備えるポートチューブが接続されている。内管３は、中空針ハブ２２および分岐部材２４を貫通し、内管ハブ２３にその基端が固定されている。また、中空針２は、その基端が分岐部材の先端部に侵入し液密に固定されている先端部にて終端している。このため、分岐部材内に形成される通路は、バルーン用ルーメンとのみ連通する。また、内管ハブ２３は、分岐部材の後端部に液密に固定されている。なお、ハブ２１は、このようなタイプのものに限定されるものではない。
【００１９】
さらに、穿刺針１は、中空針２の外面を移動可能に設けられ、探触子１０もしくは針挿入ガイドに当接可能なストッパー部材９を備えていることが好ましい。このようなストッパー部材９を設けることにより、穿刺針の予定外の先端側への移動を防止することができる。さらに、ストッパー部材９としては、その先端部が、探触子の針誘導路の後端部と係合し、穿刺針の後方への移動も規制するものであることが好ましい。具体的には、ストッパー部材９の先端部が小径部となっており、探触子の針誘導路の後端内に挿入し係合するものが考えられる。
そして、この穿刺針は、卵巣嚢腫治療用に特に有効である。
【００２０】
このストッパー部材９は、中空針の先端側に押すもしくは後端側に引くことにより、中空針２上を摺動する。そして、この実施例のストッパー部材のように、ストッパー部材９の後端側をエッジのある端面とすることにより、上記の移動作業が容易なものとなる。ストッパー部材９は、弾性材料により形成することが好ましい。形成材料としては、例えぱ、ウレタンゴム、シリコーンゴム、ブタジエンゴムなどの合成ゴム、ラテックスゴムなどの天然ゴム、軟質塩化ビニール、合成樹脂エラストマー等が使用できる。
この実施例の穿刺針が使用される探触子１０（超音波診断装置用プローブ）は、経膣プローブであり、図１に示すように、先端が曲面状に形成されたプローブ本体５１を備え、内部に超音波発信および受信機構が収納されている。そして、プローブ本体５１の外面には、針挿入ガイド１１が装着されている。針挿入ガイド１１は、ガイド管６１とガイド管固定具６３ａ、６３ｂからなり、プローブ本体５１に対して着脱可能となっている。ガイド管６１内に、針誘導路１２が形成されている。ガイド管６１は、先端が斜めにカットされ、刃先状先端面を有する管状体である。ガイド管は、内径１〜７ｍｍ、長さ１００〜４００ｍｍとなっている。ガイド管６１は、通常、ステンレス鋼、チタン、チタン合金などの金属管により形成されている。
【００２１】
そして、穿刺針１は、探触子１０の針誘導路１２内への挿入時に筒状バルーン６より所定長さ基端側から刃面２ａまでを針誘導路１２の先端より突出可能なものとなっている。
なお、本発明の穿刺針は、上記のような探触子に取り付けられた針挿入ガイドの針誘導路に挿入されるものに限定されるものではなく、探触子自身が、針誘導路を備えるものにも使用できる。
また、本発明の穿刺針は、卵巣嚢腫以外の治療にも用いることができる。
【００２２】
また、図７に示す実施例の穿刺針４０のようなものであってもよい。
図７は、本発明の他の実施例の探触子の針誘導路内挿入用バルーン付き穿刺針のバルーン部分を説明するための説明図である。
この実施例と上述した実施例の穿刺針１との相違は、中空針２に穿たれた側孔の数と、バルーンの形態のみである。その他については、上述した穿刺針１と同じであり、上述の説明を参照する。
この実施例の穿刺針４０では、中空針２の先端部の外面であって閉塞部４ａより基端側に第１の側孔５ａと第２の側孔５ｂが穿たれている。これら側孔５ａ，５ｂは、バルーン膨張用のためのものである。そして、この側孔５ａ、５ｂを被包するとともに内部がバルーン用ルーメン４と連通するように中空針２の先端部の外面に膨張可能な筒状バルーン６が固定されている。具体的には、バルーン６の軸方向の中央より先端側に第１の側孔５ａが位置し、バルーン６の中央より基端側に第２の側孔５ｂが位置するように配置されている。さらに、このバルーン６は、上述したシール用側孔２ｂを被覆していることが好ましい。
【００２３】
バルーン６は、先端部および基端部が中空針２に固定されている。さらに、バルーン６は、中間固定部４１により、側孔５ａと側孔５ｂ間にて穿刺針２に固定されている。このため、バルーン６は、第１の側孔５ａと連通する第１のバルーン部６ａと、第２の側孔５ｂと連通する第２のバルーン部６ｂに区分されている。なお、これら第１のバルーン部６ａおよび第２のバルーン部６ｂは、ともに同じバルーン拡張用ルーメン４と連通している。この穿刺針４０では、実施的にダブルバルーンとなっている。そして、第１のバルーン部を卵巣内に配置し、第２のバルーン部を卵巣外もしくは卵巣表面部付近に配置することにより、穿刺針の固定状態が安定となり、良好な治療を行うことができる。中間固定部４１は、この実施例では、糸などにより固定さている。さらに、図７に示すように、糸の外面を接着材により固定補強することが好ましい。接着剤としては、どのようなものでもよいが、上述したエポキシ樹脂系接着剤、シリコーン樹脂系接着剤などが使用できる。また、第１のバルーン部６ａは、第２のバルーン部６ｂより大きいことが好ましい。このようにすることにより、卵巣への固定状態がより安定するものと考える。
【００２４】
また、バルーンの形態としては、上述した穿刺針４０のようなものに限定されるものではなく、図８に示すようなものであってもよい。
図８は、本発明の他の実施例の探触子の針誘導路内挿入用バルーン付き穿刺針のバルーン部分を説明するための説明図である。
この実施例と上述した実施例の穿刺針１との相違は、中空針２に穿たれた側孔の数と、バルーンの形態のみである。その他については、上述した穿刺針１と同じであり、上述の説明を参照する。
この実施例の穿刺針４５では、中空針２の先端部の外面であって閉塞部４ａより基端側に第１の側孔５ａと第２の側孔５ｂが穿たれている。これら側孔５ａ，５ｂは、バルーン膨張用のためのものである。そして、この側孔５ａ、５ｂを被包するとともに内部がバルーン用ルーメン４と連通するように中空針２の先端部の外面に膨張可能な第１の筒状バルーン４６ａと第２の筒状バルーン４６ｂが固定されている。具体的には、第１のバルーン４６ａは、その軸方向の中央付近に第１の側孔５ａが位置するように中空針２に固定されている。また第２のバルーン６ｂは、その軸方向の中央付近に第２の側孔５ｂが位置するように中空針２に固定されている。さらに、第１のバルーン４６ａは、上述したシール用側孔２ｂを被覆していることが好ましい。
【００２５】
バルーン４６ａ、４６ｂ、それぞれの先端部および基端部が中空針２に固定されている。特に、この実施例の穿刺針４５では、第１のバルーン４６ａの基端と第２のバルーン４６ｂの先端は、中間固定部４７により穿刺針２に固定されている。この穿刺針４５では、第１の側孔５ａと連通する第１のバルーン４６ａと、第２の側孔５ｂと連通する第２のバルーン４６ｂを備える。なお、これら第１のバルーン４６ａおよび第２のバルーン４６ｂは、ともに同じバルーン拡張用ルーメン４と連通している。この穿刺針４５は、いわゆるダブルバルーンタイプである。そして、第１のバルーンを卵巣内に配置し、第２のバルーンを卵巣外もしくは卵巣表面部付近に配置することにより、穿刺針の固定状態が安定となり、良好な治療を行うことができる。中間固定部４７には、接着剤が使用される。接着剤としては、どのようなものでもよいが、上述したエポキシ樹脂系接着剤、シリコーン樹脂系接着剤などが使用できる。なお、中間固定部は、上述した穿刺針４０と同様に、糸を用いて固定してもよい。
また、第１のバルーン４６ａは、第２のバルーン４６ｂより大きいことが好ましい。このようにすることにより、卵巣への固定状態がより安定するものと考える。
【００２６】
本発明の探触子の針誘導路内挿入用バルーン付き穿刺針１の使用方法について、卵巣嚢腫治療に用いる場合を例にとり説明する。
最初に、針挿入ガイド５３を装着した探触子１０を準備する。なお、この状態では、穿刺針１は、針誘導路内に挿入されているものの、誘導路の先端より突出させない。この配置状態を維持するために、ストッパー部材を用いてもよい。そして、径膣的に探触子１０を体内に挿入し、探触子の先端面を卵巣に接触させ、卵巣内の超音波映像を行う。そして、卵巣内の嚢腫部位を確認した後、穿刺針１を前進させて、その卵巣嚢腫部位まで刃面が到達するように穿刺する。なお、ストッパー部材により進行不能状態となっている場合には、ストッパー部材を後方に移動した後これを行う。そして、嚢腫部位への刃先の到達を超音波映像により確認した後、バルーン用ポートに接続されているシリンジ（図示せず）により、し、液体（例えば、滅菌水）を注入、卵巣内にてバルーン６を膨張させるとともに膨張状態が維持されるようにする。具体的には、流路閉塞部材７ａのコックを操作し流路を閉塞状態とする。そして、若干、穿刺針を後方に引く。これにより、穿刺針の先端側に若干の空間を形成させることができる。続いて、ストッパー部材を先端側に移動させて、穿刺針１を探触子１０（具体的には、ガイド１１）に固定する。そして、内管用ポートに接続された処置液供給手段（図示せず）を作動させて処置液（例えば、エタノール）を卵巣嚢腫部位に注入する。続いて、注入された処置液により変性した卵巣嚢腫構成物を処置液とともに内管ポートより吸引し除去する。そして、バルーン６内に注入した液体を吸引し、バルーンを収縮させた後、穿刺針を針誘導路内に収容し、探触子１０とともに生体より抜去する。
【００２７】
次に、本発明の探触子の針誘導路内挿入用バルーン付き穿刺針組立体を図面に示す実施例を用いて説明する。
図９は、採卵針挿入ガイドを装着した探触子（超音波診断装置用プローブ）に本発明の探触子の他の実施例の針誘導路内挿入用バルーン付き穿刺針組立体を挿入した状態の外観図である。図１０は、本発明の他の実施例の探触子の針誘導路内挿入用バルーン付き穿刺針組立体の部分省略外観図である。図１１は、図１０に示した探触子の針誘導路内挿入用バルーン付き穿刺針組立体の先端部の拡大断面図である。図１２は、図１０に示した探触子の針誘導路内挿入用バルーン付き穿刺針組立体の基端部の拡大断面図である。
本発明の探触子の針誘導路内挿入用バルーン付き穿刺針組立体５０は、探触子１０に装着された針挿入ガイド１１内に形成された針誘導路１２もしくは探触子１０に設けられた針誘導路１２内に移動可能に挿入されるバルーン付き穿刺針組立体である。
穿刺針組立体５０は、第１のチューブ７１と、第１のチューブ７１内に配置された第２のチューブ７２と、第１のチューブ７１と第２のチューブ７２間に形成されたバルーン用ルーメン７４と、第１のチューブ７１の先端部においてバルーン用ルーメンを閉塞する閉塞部７４ａと、第１のチューブ７１の先端部の外面であって閉塞部７４ａより基端側に形成された側孔７５と、側孔７５を被包するとともに内部がバルーン用ルーメン７４と連通するように第１のチューブ７１の先端部の外面に取り付けられた膨張可能な筒状バルーン７６と、バルーン用ルーメン７４と連通するバルーン用ポート７７とを備えるバルーン付外管７０と、バルーン付外管７０内に移動可能に挿入され、かつ外管７０の先端より突出する刃面９０ａを有する穿刺用内針９０とを備える。そして、穿刺針組立体５０は、探触子１０の針誘導路１２内への挿入時に筒状バルーン７６より所定長さ基端側から刃面９０ａまでを針誘導路１２の先端より突出可能なものとなっている。
【００２８】
この実施例の穿刺針組立体５０は、バルーン付外管７０と穿刺用内針９０とを備える。
穿刺用内針９０は、この実施例では、中空針となっており、先端に刃面９０ａと、内針ルーメン９２を備え、後端に内針ハブ９３を備えている。内針ハブ９３は、ポート９８を備えている。内針９０としては、金属針が用いられる。金属としては、ステンレス鋼が好適である。また、内針の外径としては、０．２〜４ｍｍ程度が好適である。長さは、１２０〜４５０ｍｍ程度が好適である。なお、内針９０は、上記のような中空針に限定されるものではなく、中実針であってもよい。また、内針９０は、刃面９０ａ部分がバルーン付外管７０の先端より突出可能なものとなっている。
バルーン付外管７０は、第１のチューブ７１、第２のチューブ７２と、バルーン用ポート７７とを備えるハブ８１とを備える。
【００２９】
第１のチューブ７１の外径としては、０．５〜５ｍｍ程度が好適である。長さは、１２０〜４５０ｍｍ程度が好適である。第２のチューブ７２は、第１のチューブ７１内に挿入されるとともに、先端部において、後述する閉塞部により第１のチューブと固定されている。第２のチューブとしては、第１のチューブの内径より外径が小さいものが用いられる。両者間の径の差異は、０．２〜３ｍｍ程度であることが好ましい。第１のチューブおよび第２のチューブとしては、樹脂チューブが使用できる。樹脂チューブとしては、ポリエステル、ポリオレフィン、ポリアミド、熱可塑性ポリウレタン、ポリアセタール、ポリビニル、フッ素樹脂などの樹脂チューブが使用できる。ポリエステルとしては、ポリエチレンテレフタレートが好適である。ポリオレフィンとしては、ポリエチレン、ポリプロピレンなどが好適である。フッ素樹脂としては、ＰＴＦＥ、ＥＴＦＥなどが好適である。
【００３０】
そして、第１のチューブ７１と第２のチューブ７２間によりバルーン用ルーメン７４が形成されている。さらに、第１のチューブ７１の先端部においてバルーン用ルーメン７４は閉塞部７４ａにより閉塞されている。シール剤としては、作業時には液状でありその後硬化するものであり、かつ使用する中空針および内管との接着性を有するものが用いられる。シール剤としては、エポキシ樹脂系接着剤、シリコーン樹脂系接着剤などが使用できる。
また、第１のチューブ７１には、第１のチューブ７１の先端部の外面であって閉塞部７４ａより基端側に側孔７５が穿たれている。この側孔７５は、バルーン膨張用のためのものである。そして、この側孔７５を被包するとともに内部がバルーン用ルーメン７４と連通するように第１のチューブ７１の先端部の外面に膨張可能な筒状バルーン７６が固定されている。特に、側孔は、軸方向に複数設けられていることが好ましい。この例では、２つの側孔７５ａ，７５ｂが設けられている。具体的には、このバルーン７６は、上述した側孔７５ａ、７５ｂを被覆している。バルーン７６は、先端部および基端部が、第１のチューブ７１に固定されるとともに、先端部と基端部間は固定されていない。このため側孔７５より流入する液体により膨張する。バルーン７６の先端部および基端部の第１のチューブ７１への固定は、接着剤により行うことができる。接着剤としては、バルーン形成材料および第１のチューブ形成材料との接着性を有するものが用いられる。具体的には、上述したエポキシ樹脂系接着剤、シリコーン樹脂系接着剤などが使用できる。また、バルーン７６の先端面には、図１１に示すように接着剤により環状の傾斜面からなる段差解消部３１を設けることが望ましい。また、バルーン７６の後端面には、図１１に示すように接着剤により環状の傾斜面からなる段差解消部３２を設けることが望ましい。
【００３１】
また、バルーン７６の固定方法としては、図５に示したものと同様に、バルーン７６の両端部を糸３３で巻き付けることにより固定したものであってもよい。さらに、この糸３３と接着剤とを併用してもよい。接着剤を併用する場合には、上述したように段差解消部３１を設けることがよい。
また、バルーンの固定方法としては、図６に示したものと同様に、バルーン７６の先端部および基端部をより所定距離中央側にて糸３３を巻き付けることにより固定し、さらに、先端部および基端部を折り返して、糸巻付部をバルーンにより被包したものであってもよい。この場合、糸巻付部となる部分より端部側のバルーン部分は、膨張する部分よりも肉薄なものとすることが好ましい。さらに、この折り返し部分に接着剤を塗布してもよい。また、この実施例において、バルーンを併用してもよい。また、この実施例においても、バルーン７６の先端面には、環状の傾斜面からなる段差解消部３１を設けることが望ましい。また、バルーン７６の後端面には、環状の傾斜面からなる段差解消部３２を設けることが望ましい。
バルーンの形成材料としては、弾性材料が使用される。特に、ゴムが好適であり、シリコーンゴム、ラテックスゴムなどが好ましい。バルーンの大きさとしては、膨張時の外径が８〜３０ｍｍ程度であることが好ましい。
【００３２】
バルーン付外管７０基端部には、ハブ８１が固定されている。ハブ８１は、バルーン用ルーメン７４と連通するバルーン用ポート７７とを備えている。そして、バルーン用ポート７４は、バルーン用ルーメン内に流体を注入するための注入器具（例えば、シリンジ）が取付可能なものとなっている。さらに、バルーン用ポート７７もしくはポート７７と接続されるチューブ７７ｂには、流路閉塞部材７７ａが設けられている。この実施例では、流路閉塞部材７７ａとして、ポート７７に、その開閉を行う活栓が設けられている。なお、流路閉塞部材としては、注入器具の装着時に開放状態となり、非装着時に閉塞状態となる逆止弁であってもよい。
ハブ８１は、具体的には、第１のチューブ７１の基端に固定された第１ハブ８２、第２のチューブ７１の基端に固定された第２ハブ８４を備える。第２ハブ８４は、いわゆる分岐ハブであり、側面には、端部にバルーン用ポート７７を備えるポートチューブ７７ｂが接続されている。第２のチューブ７２は、第１ハブ８２を貫通し、その基端部が、第２ハブ８４の基端部に固定されている。この例では、固着部材８５により、第２のチューブ７２は、第２ハブ８４に固定されている。また、第１のチューブ７１は、その基端が第１ハブの先端部に侵入し液密に固定されているとともに、終端している。このため、第２ハブ内に形成される通路は、バルーン用ルーメンとのみ連通する。さらに、この例では、第２ハブ８４の後端には、操作部８６が設けられている。操作部８６は、第２ハブ８４の基端部外面に形成された螺子部と螺合可能な螺子部を備える外筒部８６ａと、第２ハブ８４内に侵入する内筒部８６ｂを備えている。また、第２ハブ８４内には、操作部８６の内筒部８６ｂにより押圧される環状弾性部材８７が収納されている。この例では、環状弾性部材８７は、固着部材８５と内筒部８６ｂにより押圧され、押圧状態において、穿刺用内針９０を液密状態に固定する。そして、この操作部８６を操作し、操作部を後方に移動させることにより、環状弾性部材８７の押圧が解除され、穿刺用内針９０の後方への移動操作が可能となる。また、穿刺用内針９０の外面には、外管７０内への内針の刃面の収納告知用マーカー８８が設けられている。このため、操作部８６を操作し、内針９０をこのマーカー８８が確認できる位置まで後方に引くことにより、内針９０の刃面を外管内に収納することができる。そして、操作部８６を操作することにより、内針９０をハブ８１に固定することができ、刃面を収納した状態を維持する。なお、ハブ８１は、このようなタイプのものに限定されるものではない。
【００３３】
さらに、この実施例の穿刺針組組立体５０においても、上述した穿刺針１と同様に、ストッパー部材を設けることが好ましい。組立体５０は、第１のチューブ７１の外面を移動可能に設けられ、探触子１０もしくは針挿入ガイドに当接可能なストッパー部材７９を備えていることが好ましい。このようなストッパー部材７９を設けることにより、穿刺針組立体の予定外の先端側への移動を防止することができる。さらに、ストッパー部材７９としては、その先端部が、探触子の針誘導路の後端部と係合し、穿刺針の後方への移動も規制するものであることが好ましい。具体的には、ストッパー部材７９の先端部が小径部となっており、探触子の針誘導路の後端内に挿入し係合するものが考えられる。
そして、この穿刺針組立体は、卵巣嚢腫治療用に特に有効である。
このストッパー部材７９としては、ストッパー部材９において説明したものが好適に使用できる。
【００３４】
この実施例の穿刺針組立体が使用される探触子１０（超音波診断装置用プローブ）は、経膣プローブであり、図９に示すように、先端が曲面状に形成されたプローブ本体５１を備え、内部に超音波発信および受信機構が収納されている。そして、プローブ本体５１の外面には、針挿入ガイド１１が装着されている。針挿入ガイド１１は、ガイド管６１とガイド管固定具６３ａ、６３ｂからなり、プローブ本体５１に対して着脱可能となっている。ガイド管６１内に、針誘導路１２が形成されている。ガイド管６１は、先端が斜めにカットされ、刃先状先端面を有する管状体である。ガイド管は、内径１〜７ｍｍ、長さ１００〜４００ｍｍとなっている。ガイド管６１は、通常、ステンレス鋼、チタン、チタン合金などの金属管により形成されている。
そして、穿刺針組立体５０は、探触子１０の針誘導路１２内への挿入時に筒状バルーン７６より所定長さ基端側から刃面９０ａまでを針誘導路１２の先端より突出可能なものとなっている。
なお、本発明の穿刺針組立体は、上記のような探触子に取り付けられた針挿入ガイドの針誘導路に挿入されるものに限定されるものではなく、探触子自身が、針誘導路を備えるものにも使用できる。
また、本発明の穿刺針は、卵巣嚢腫以外の治療にも用いることができる。
【００３５】
また、図１３に示す実施例の穿刺針組立体６０のようなものであってもよい。
図１３は、本発明の他の実施例の探触子の針誘導路内挿入用バルーン付き穿刺針組立体のバルーン部分を説明するための説明図である。
この実施例の穿刺針組立体６０と上述した実施例の穿刺針組立体５０との相違は、バルーン付外管７０に穿たれた側孔の数と、バルーンの形態のみである。その他については、上述した穿刺針組立体５０と同じであり、上述の説明を参照する。
この実施例の穿刺針組立体６０では、外管７０の先端部の外面に第１の側孔７５ａと第２の側孔７５ｂが穿たれている。これら側孔７５ａ，７５ｂは、バルーン膨張用のためのものである。そして、この側孔７５ａ、７５ｂを被包するとともに内部がバルーン用ルーメン７４と連通するように外管７０の先端部の外面に膨張可能な筒状バルーン７６が固定されている。具体的には、バルーン７６の軸方向の中央より先端側に第１の側孔７５ａが位置し、バルーン７６の中央より基端側に第２の側孔７５ｂが位置するように配置されている。
【００３６】
バルーン７６は、先端部および基端部が外管７０に固定されている。さらに、バルーン７６は、中間固定部６５により、側孔７５ａと側孔７５ｂ間にて外管７０に固定されている。このため、バルーン７６は、第１の側孔７５ａと連通する第１のバルーン部７６ａと、第２の側孔７５ｂと連通する第２のバルーン部７６ｂに区分されている。なお、これら第１のバルーン部７６ａおよび第２のバルーン部７６ｂは、ともに同じバルーン拡張用ルーメン７４と連通している。この穿刺針組立体６０では、実施的にダブルバルーンとなっている。そして、第１のバルーン部を卵巣内に配置し、第２のバルーン部を卵巣外もしくは卵巣表面部付近に配置することにより、穿刺針組立体の固定状態が安定となり、良好な治療を行うことができる。中間固定部６５は、この実施例では、糸などにより固定さている。さらに、図１３に示すように、糸の外面を接着材により固定補強することが好ましい。接着剤としては、どのようなものでもよいが、上述したエポキシ樹脂系接着剤、シリコーン樹脂系接着剤などが使用できる。また、第１のバルーン部７６ａは、第２のバルーン部７６ｂより大きいことが好ましい。このようにすることにより、卵巣への固定状態がより安定するものと考える。
【００３７】
また、バルーンの形態としては、上述した穿刺針６０のようなものに限定されるものではなく、図１４に示すようなものであってもよい。
図１４は、本発明の他の実施例の探触子の針誘導路内挿入用バルーン付き穿刺針組立体のバルーン部分を説明するための説明図である。
この実施例の穿刺針組立体１００と上述した実施例の穿刺針組立体５０との相違は、外管７０に穿たれた側孔の数と、バルーンの形態のみである。その他については、上述した穿刺針組立体５０と同じであり、上述の説明を参照する。
この実施例の穿刺針組立体１００では、外管７０の先端部の外面に第１の側孔７５ａと第２の側孔７５ｂが穿たれている。これら側孔７５ａ，７５ｂは、バルーン膨張用のためのものである。そして、この側孔７５ａまたは側孔７５ｂを被包するとともに内部がバルーン用ルーメン７４と連通するように外管７０の先端部の外面に膨張可能な第１の筒状バルーン１０１ａと第２の筒状バルーン１０１ｂが固定されている。具体的には、第１のバルーン１０１ａは、その軸方向の中央付近に第１の側孔７５ａが位置するように外管７０に固定されている。また第２のバルーン１０１ｂは、その軸方向の中央付近に第２の側孔７５ｂが位置するように外管７０に固定されている。
【００３８】
バルーン１０１ａ、１０１ｂは、それぞれの先端部および基端部が外管７０に固定されている。特に、この実施例の穿刺針組立体１００では、第１のバルーン１０１ａの基端と第２のバルーン１０１ｂの先端は、中間固定部１０２により外管７０に固定されている。なお、これら第１のバルーン１０１ａおよび第２のバルーン１０１ｂは、ともに同じバルーン拡張用ルーメン７４と連通している。この穿刺針組立体１００は、いわゆるダブルバルーンタイプである。そして、第１のバルーンを卵巣内に配置し、第２のバルーンを卵巣外もしくは卵巣表面部付近に配置することにより、穿刺針の固定状態が安定となり、良好な治療を行うことができる。中間固定部１０２には、接着剤が使用される。接着剤としては、どのようなものでもよいが、上述したエポキシ樹脂系接着剤、シリコーン樹脂系接着剤などが使用できる。なお、中間固定部は、上述した穿刺針組立体６０と同様に、糸を用いて固定してもよい。
また、第１のバルーン１０１ａは、第２のバルーン１０１ｂより大きいことが好ましい。このようにすることにより、卵巣への固定状態がより安定するものと考える。
【００３９】
本発明の探触子の針誘導路内挿入用バルーン付き穿刺針組立体５０の使用方法について、卵巣嚢腫治療に用いる場合を例にとり説明する。
最初に、針挿入ガイド１１を装着した探触子１０を準備する。なお、この状態では、穿刺針組立体５０は、針誘導路内に挿入されているものの、誘導路の先端より突出させない。この配置状態を維持するために、ストッパー部材を用いてもよい。そして、径膣的に探触子１０を体内に挿入し、探触子の先端面を卵巣に接触させ、卵巣内の超音波映像を行う。そして、卵巣内の嚢腫部位を確認した後、穿刺針組立体５０を前進させて、その卵巣嚢腫部位まで内針９０の刃面９０ａが到達するように穿刺する。なお、ストッパー部材により進行不能状態となっている場合には、ストッパー部材を後方に移動した後これを行う。そして、嚢腫部位への刃先の到達を超音波映像により確認した後、バルーン用ポートに接続されているシリンジ（図示せず）により、液体（例えば、滅菌水）を注入、卵巣内にてバルーン７６を膨張させるとともに膨張状態が維持されるようにする。具体的には、流路閉塞部材７７ａのコックを操作し流路を閉塞状態とする。そして、若干、穿刺針組立体を後方に引く。これにより、穿刺針の先端側に若干の空間を形成させることができる。続いて、ストッパー部材を先端側に移動させて、穿刺針組立体５０を探触子１０（具体的には、ガイド１１）に固定する。そして、操作部８６を回転させて、外管７０への内針９０の固定を解除し、内針９０をマーカー８８が視認できる位置まで引き、刃面９０ａを外管内に収納する。そして、操作部８６を回転させて、内針９０を再び外管７０に固定する。そして、内針ポート９８に接続された処置液供給手段（図示せず）を作動させて処置液（例えば、エタノール）を卵巣嚢腫部位に注入する。続いて、注入された処置液により変性した卵巣嚢腫構成物を処置液とともに内針ポートより吸引し除去する。そして、バルーン７６内に注入した液体を吸引し、バルーンを収縮させた後、穿刺針を針誘導路内に収容し、探触子１０とともに生体より抜去する。
【００４０】
【発明の効果】
本発明の探触子の針誘導路内挿入用バルーン付き穿刺針は、先端に刃面を有する穿刺用中空針と、該穿刺用中空針内に収納され先端が前記中空針の先端部に位置し内部にルーメンを有する内管と、前記中空針と前記内管間により形成されるバルーン用ルーメンと、前記中空針の先端部においてバルーン用ルーメンを閉塞する閉塞部と、前記中空針の先端部の外面であって前記閉塞部より基端側に形成された側孔と、該側孔を被包するとともに内部が前記バルーン用ルーメンと連通するように該中空針の先端部の外面に取り付けられた膨張可能な筒状バルーンと、前記バルーン用ルーメンと連通するバルーン用ポートと、前記内管ルーメンと連通する内管用ポートとを備え、かつ、該穿刺針は、前記探触子の前記針誘導路内への挿入時に前記筒状バルーンより所定長さ基端側から前記刃面までを前記針誘導路の先端より突出可能である。
このため、生体治療部位への穿刺後、バルーンを膨張させた後に病変部位に処置液を注入させることにより、処置液の病変部の周辺への流出を抑制することができ、処置中における処置液流出による患者への苦痛を軽減できる。
本発明の探触子の針誘導路内挿入用バルーン付き穿刺針組立体は、探触子に装着された針挿入ガイド内に形成された針誘導路もしくは探触子に設けられた針誘導路内に移動可能に挿入されるバルーン付き穿刺針組立体であって、該穿刺針組立体は、第１のチューブと、該第１のチューブ内に配置された第２のチューブと、前記第１のチューブと前記第２のチューブ間に形成されたバルーン用ルーメンと、前記第１のチューブの先端部においてバルーン用ルーメンを閉塞する閉塞部と、前記第１のチューブの先端部の外面であって前記閉塞部より基端側に形成された側孔と、該側孔を被包するとともに内部が前記バルーン用ルーメンと連通するように該第１のチューブの先端部の外面に取り付けられた膨張可能な筒状バルーンと、前記バルーン用ルーメンと連通するバルーン用ポートとを備えるバルーン付外管と、前記外管内に移動可能に挿入され、かつ前記外管の先端より突出する刃面を有する穿刺用内針とを備え、さらに、該穿刺針組立体は、前記探触子の前記針誘導路内への挿入時に、前記筒状バルーンより所定長さ基端側から前記刃面までを前記針誘導路の先端より突出可能である。
このため、生体治療部位への穿刺後、バルーンを膨張させた後に病変部位に処置液を注入させることにより、処置液の病変部の周辺への流出を抑制することができ、処置中における処置液流出による患者への苦痛を軽減できる。また、治療時に、内針を抜去もしくは内針の刃先を外管内に収納することできるため、治療作業が容易なものとなる。
【図面の簡単な説明】
【図１】図１は、採卵針挿入ガイドを装着した探触子（超音波診断装置用プローブ）に本発明の探触子の針誘導路内挿入用バルーン付き穿刺針を挿入した状態の外観図である。
【図２】図２は、本発明の実施例の探触子の針誘導路内挿入用バルーン付き穿刺針の部分省略外観図である。
【図３】図３は、図２に示した探触子の針誘導路内挿入用バルーン付き穿刺針の先端部の拡大断面図である。
【図４】図４は、図２に示した探触子の針誘導路内挿入用バルーン付き穿刺針の基端部の拡大断面図である。
【図５】図５は、本発明の他の実施例の探触子の針誘導路内挿入用バルーン付き穿刺針のバルーン部分を説明するための説明図である。
【図６】図６は、本発明の他の実施例の探触子の針誘導路内挿入用バルーン付き穿刺針のバルーン部分を説明するための説明図である。
【図７】図７は、本発明の他の実施例の探触子の針誘導路内挿入用バルーン付き穿刺針のバルーン部分を説明するための説明図である。
【図８】図８は、本発明の他の実施例の探触子の針誘導路内挿入用バルーン付き穿刺針のバルーン部分を説明するための説明図である。
【図９】図９は、採卵針挿入ガイドを装着した探触子（超音波診断装置用プローブ）に本発明の探触子の他の実施例の針誘導路内挿入用バルーン付き穿刺針組立体を挿入した状態の外観図である。
【図１０】図１０は、本発明の他の実施例の探触子の針誘導路内挿入用バルーン付き穿刺針組立体の部分省略外観図である。
【図１１】図１１は、図１０に示した探触子の針誘導路内挿入用バルーン付き穿刺針組立体の先端部の拡大断面図である。
【図１２】図１２は、図１０に示した探触子の針誘導路内挿入用バルーン付き穿刺針組立体の基端部の拡大断面図である。
【図１３】図１３は、本発明の他の実施例の探触子の針誘導路内挿入用バルーン付き穿刺針組立体のバルーン部分を説明するための説明図である。
【図１４】図１４は、本発明の他の実施例の探触子の針誘導路内挿入用バルーン付き穿刺針組立体のバルーン部分を説明するための説明図である。
【符号の説明】
１  探触子の針誘導路内挿入用バルーン付き穿刺針
２  穿刺用中空針
３  内管
４  バルーン用ルーメン
５  側孔
６  バルーン
１０  探触子
１１  針挿入ガイド
１２  針誘導路
５０  探触子の針誘導路内挿入用バルーン付き穿刺針組立体
【図１】
2004237068.tif 000003
【図２】
2004237068.tif 000004
【図３】
2004237068.tif 000005
【図４】
2004237068.tif 000006
【図５】
2004237068.tif 000007
【図６】
2004237068.tif 000008
【図７】
2004237068.tif 000009
【図８】
2004237068.tif 000010
【図９】
2004237068.tif 000011
【図１０】
2004237068.tif 000012
【図１１】
2004237068.tif 000013
【図１２】
2004237068.tif 000014
【図１３】
2004237068.tif 000015
【図１４】
2004237068.tif 000016